(57)【要約】【課題】操作者が分析を中断するタイミングを指定することができ、優先的に分析したい検体の分析を妨げることなく適切なタイミングで分析の中断が可能な自動分析装置を実現する。【解決手段】分析中断タイミングラジオボタン１−１を指定すると、指定タイミングで分析が中断され検体の追加が可能になる。即時ボタン１−２を指定すると、分析を中断できる最短のタイミングで中断される。緊急検体ボタン１−３を指定すると、全てボタン１−４又はポジションボタン１−５を指定できる。全てボタン１−４を指定すると、全ての緊急検体の分析終了後に分析が中断される。ポジションボタン１−５を指定すると、ポジション入力エリア１−６にポジションの入力ができ、入力ポジションの緊急検体の分析終了後に分析が中断される。【選択図】図１
2011033409.tif 000002
【特許請求の範囲】
【請求項１】
試料の定性・定量分析を行う自動分析装置において、
操作者により、試料の分析を中断するタイミングが指定される分析中断タイミング指定手段と、
上記分析中断タイミング指定手段に指定された分析中断タイミングに従って、試料の分析を中断させる制御手段と、
を備えることを特徴とする自動分析装置。
【請求項２】
請求項１に記載の自動分析装置において、上記分析中断タイミング指定手段には、試料の分析開始前に試料の分析を中断するタイミングが指定されることを特徴とする自動分析装置。
【請求項３】
試料の定性・定量分析を行う自動分析装置において、
複数の試料を収容する複数の試料容器と、
上記複数試料容器が配置される試料ディスクと、
試料と試薬とを収容する複数の反応容器と、
上記複数の反応容器が配置される反応ディスクと、
上記試薬ディスクに配置された試薬容器に収容された試薬を、上記反応ディスクに配置された反応容器に分注する試料分注手段と、
上記反応ディスクに配置された反応容器に収容された試料を分析する分析部と、
操作者により、試料の分析中断タイミングが入力される入力手段と、
上記試料ディスク、上記反応ディスク、上記試料分注手段、及び上記分析部の動作を制御し、上記入力手段により入力された試料の分析中断タイミングに従って、試料の分注動作を中断させる制御手段と、
を備えることを特徴とする自動分析装置。
【請求項４】
請求項３に記載の自動分析装置において、上記入力手段には、全ての試料の分析を中断するか、選択された試料の分析動作終了後に、他の試料の分析を中断するかを選択できることを特徴とする自動分析装置。
【発明の詳細な説明】
【技術分野】
【０００１】
本発明は、血液、尿などの試料の定性・定量分析を行う自動分析装置に関する。
【背景技術】
【０００２】
試料ディスクを使用する自動分析装置は、検体を追加する場合、検体を試料ディスクへ設置する。この試料ディスクは、検体を分注するために常に動作しているため、分析を中断しない限り検体を追加することはできない。
【０００３】
例えば、特許文献１に記載されているように、オペレーション中に測定する試料（検体）を追加する場合であって、試薬ボトルの残量が無い場合には、試薬登録割り込み要求が行われる。そして、この試薬登録割り込み要求により、装置を分析動作の一時停止状態とし、試料のサンプリングストップ状態とするように構成されている。
【先行技術文献】
【特許文献】
【０００４】
【特許文献１】特開平１０−１４２２３０号公報
【発明の概要】
【発明が解決しようとする課題】
【０００５】
上述したように、従来技術における自動分析装置では、試料（検体）分析の中断は、分析を中断するための分析中断ボタンを押下したタイミングでしかできなかった。
【０００６】
このため、新規の検体の分析を追加するために分析を中断しようとしたときに、優先的に分析したい検体が分析中の場合は、優先的に分析したい検体でありながら、やむをえずその検体の分析を中断しなければならなかった。
【０００７】
また、優先的に分析したい検体の分析が終了するまで待ってから分析中断ボタンを押下することも可能であるが、この場合、操作者は優先的に分析したい検体の分析が終了するまでを観察していなければならず、待機時間が発生してしまっていた。
【０００８】
優先的に分析したい検体の分析が終了するまで待ってから分析中断ボタンを押下しなければならない場合は、分析中断ボタンの押し下げのタイミングを誤ることも考えられ、早期に分析中断したときは、分析開始動作を再開した後に、さらに、分析中断タイミングを待って操作する必要がある。分析中断タイミングがお遅くなった場合は、それだけ、新規検体の追加が遅れることになる。
【０００９】
本発明の目的は、操作者が分析を中断するタイミングを指定することができ、優先的に分析したい検体の分析を妨げることなく適切なタイミングで分析の中断が可能な自動分析装置を実現することである。
【課題を解決するための手段】
【００１０】
上記目的を達成するために、本発明は次のように構成される。
【００１１】
本発明の自動分析装置は、操作者により、試料の分析を中断するタイミングが指定される分析中断タイミング指定手段と、上記分析中断タイミング指定手段に指定された分析中断タイミングに従って、試料の分析を中断させる制御手段とを備える。
【発明の効果】
【００１２】
本発明によれば、操作者が分析を中断するタイミングを指定することができ、優先的に分析したい検体の分析を妨げることなく適切なタイミングで分析の中断が可能な自動分析装置を実現することができる。
【図面の簡単な説明】
【００１３】
【図１】本発明の実施例１における分析を中断するための分析中断画面を示す図である。
【図２】本発明が適用される自動分析装置の原理的な全体構成概略を示した説明図である。
【図３】比較例での測定シーケンスと本発明が適用された測定シーケンスを示した説明図である。
【図４】本発明の実施例１における分析を開始するための分析開始画面を示す図である。
【図５】本発明の実施例１における分析を中断するための分析中断画面を示す図である。
【図６】分析を中断するための動作フローチャートである。
【発明を実施するための形態】
【００１４】
以下、本発明の実施例について、添付図面を参照して詳細に説明する。
【００１５】
なお、以下の、実施例の説明中、「分析の中断」とは、主に、試料（検体）の分注の停止を意味し、試料の分注停止と共に、試薬の分注の停止、又は装置の動作停止をする場合、それらの動作も含むものとする。
【実施例１】
【００１６】
図1は、本発明の実施例１における分析中断画面を示す図であり、図２は、自動分析装置の原理的な全体構成概略図である。
【００１７】
図２において、２−１は操作部であり、操作部２−１はコンピュータである。この操作部２−１は、データを入力するためのキーボード２−２と、マウス２−３と、データを表示するための表示装置２−４と、データを印刷するための印刷装置２−５と、後述する分析部と接続するためのインタフェース２−６と、依頼項目測定順序と測定を行う試料の液量を記憶するための記憶装置２−７と、その他の周辺機器とを有する。
【００１８】
２−８は分析部であり、インタフェース２−６を介して操作部２−１と接続している。
【００１９】
分析部２−８において、２−９は反応ディスクであり、その同心円周上に反応容器２−１０が複数個設置されている。２−１１は試薬ディスクであり、その同心円周上に種々の試薬が入った試薬ボトル２−１２が複数個設置されている。
【００２０】
反応ディスク２−９の周囲には、試料分注プローブ２−１３、攪拌装置２−１４、洗浄装置２−１５、光源２−１６、多波長光度計２−１７が配置されている。反応ディスク２−９と試薬ディスク２−１１との間には、試薬分注プローブ２−１８が配置されている。
【００２１】
また、試料分注プローブ２−１３の回転円周上で、かつ試薬ディスク２−１１の隣には、試料ディスク２−１９が設置されている。試料を入れた試料容器２−２０は、試料ディスク２−１９の中に複数個設置されている。これらの機構動作はすべて、インタフェース２−２１を介してコンピュータ２−２２により制御されている。
【００２２】
操作者は、操作部２−１の表示装置２−４と、キーボード２−２、または、マウス２−３とを使って測定項目を依頼し分析装置に分析指示を与える。分析指示はインタフェース２−６を介して分析部２−８に送信される。分析部２−８は受信した分析指示に従い、次のように分析動作を行う。
【００２３】
試料分注プローブ２−１３が、試料容器２−２０の中に入った試料を依頼された項目数分、それぞれの所定量を反応容器２−１０に分注する。ひとつの試料容器２−２０に対する分注を完了したら、次の試料容器２−２０が試料分注プローブ２−１３の真下に来るように試料ディスク２−１９が回転する。試料を分注された反応容器２−１０は反応ディスク２−９の回転動作により、反応ディスク２−９上を回転移動する。その間に反応容器２−１０の中の試料に対し、試薬分注プローブ２−１８による試薬ボトル２−１２内の試薬の分注、攪拌装置２−１４による反応液の攪拌、光源２−１６、及び多波長光度計２−１７による吸光度の測定が行われる。その後、洗浄装置２−１５によって分析の終了した反応容器２−１０が洗浄される。
【００２４】
測定された吸光度信号は、Ａ／Ｄコンバータ２−２３を経由し、インタフェース２−２１を介してコンピュータ２−２２へ供給される。この吸光度信号から、予め分析項目ごとに設定された分析法に基づき、標準液試料の場合は設定された濃度データから検量線データが算出され、患者試料及びコントロール試料の場合は標準液試料の測定で得られる検量線データから濃度データが算出される。これらのデータは測定結果として、試料の種類を記号化した情報を付加した後、インタフェース２−６を介して操作部２−１に送信される。
【００２５】
操作部２−１は、受信した測定結果を記憶装置２−７に記憶すると共に、表示装置２−４、および印刷装置２−５に出力する。
【００２６】
次に、図１、図６を参照して、本発明の実施例１における、分析を中断するための分析中断画面について説明する。なお、図６は、本発明の実施例１における分析を中断するための判断フローチャートである。
【００２７】
本発明の実施例１においては、コンピュータ２−１の表示装置２−４における分析中断画面（分析中断タイミング指定手段）に分析を中断するタイミングを指定可能とすることで、コンピュータ２−２２が装置の動作を制御して分析を中断する際、画面から指定したタイミングまで分析の中断を遅らせることが可能となる。
【００２８】
図１、図６において、分析中断タイミングラジオボタン１−１を指定して実行すると（ステップ６−１）、指定したタイミングが何かが判断され（ステップ６−２）、指定したタイミングで分析が中断され、検体の追加が可能になる。
【００２９】
分析中断タイミング１−１のうち、即時ボタン１−２を指定した場合、分析装置が分析を中断できる最短のタイミングで分析が中断される（ステップ６−３）。緊急検体ボタン１−３を指定した場合、全てボタン１−４、またはポジションボタン１−５を指定することが可能となる（ステップ６−４）。
【００３０】
全てボタン１−４を指定した場合、全ての緊急検体の分析終了後に分析が中断される（ステップ６−６、６−７）。その検体が緊急検体である場合には、その旨を試料ディスクのポジションと共に、分析開始前にコンピュータ２−２２に記憶されている。コンピュータ２−２２は、試料分析中断タイミング記憶手段でもある。
【００３１】
ポジションボタン１−５を指定した場合、ポジション入力エリア１−６にポジションの入力が可能となり、入力したポジションの緊急検体の分析終了後に分析が中断される（ステップ６−５、６−７）。
【００３２】
一般検体ボタン１−７を指定した場合、全てボタン１−８、または検体番号ボタン１−９を指定することが可能となる（ステップ６−８）。
【００３３】
全てボタン１−８を指定した場合、全ての一般検体の分析終了後に分析が中断される（ステップ６−１１、６−１０）。
【００３４】
検体番号ボタン１−９を指定した場合、検体番号入力エリア１−１０に検体番号の入力が可能となり、入力した検体番号の一般検体の分析終了後に分析が中断される（ステップ６−９、６−１０）。
【００３５】
キャリブレーションボタン１−１１を指定した場合、キャリブレーションの分析終了後に分析が中断される（ステップ６−１２、６−１３）。
【００３６】
コントロールボタン１−１２を指定した場合、コントロール用試料（精度管理試料）の分析終了後に分析が中断される（ステップ６−１４、６−１５）。
【００３７】
さらに、分析を中断するタイミングの指定は、これに限らず、バーコードによる指定や、時間の指定、図５に示すように、分析を中断する検体５−１を画面から直接指示する等、画面から分析を中断するタイミングを特定することができればよい。
【００３８】
図３は、従来技術での測定シーケンスと、本発明の実施例が適用された場合の測定シーケンスとを比較するための説明図である。
【００３９】
図３において、検体（Ａ）３−１、検体（Ｂ）３−２、検体（Ｃ）３−３、検体（Ｄ）３−４の順番で分析中であるとする。この場合、検体（Ｅ）３−５を追加するために、検体（Ｂ）３−２を分注しているときに、分析中断ボタンを押下した場合（操作３−６）について説明する。
【００４０】
従来の測定シーケンス３−７では、分析の中断が可能な最短のタイミングで分析が中断される。
【００４１】
この場合、検体（Ｃ）３−３を優先的に分析したい状態であっても、分析中断ボタンを押下したタイミングで分析が中断されるため、検体（Ｃ）３−３の分析は再スタート後に行われ、結果を出力するタイミング３−８は中断しなかった場合３−９よりも遅くなる。
【００４２】
これに対して、本発明の実施例１が適用された測定シーケンス３−１０では、分析を中断するタイミングに検体（Ｃ）３−３の分析終了後を指定することで、検体（Ｂ）３−２を分注しているときに分析中断ボタンを押下しても、検体（Ｃ）３−３の分析終了後に分析を中断することができる。
【００４３】
これにより、優先的に分析したい検体（Ｃ）３−３の結果を早く知ることができ、なおかつ、検体（Ｃ）３−３の分析終了後、すぐに検体（Ｅ）３−５を追加することで、操作者は優先的に分析したい検体の分析を妨げることなく、最短で検体を追加することが可能になる。
【００４４】
なお、予め分析を中断するタイミングを指定して分析を開始する場合は、図４に示す画面により、設定することができる。
【００４５】
つまり、図４において、分析開始検体番号指定領域４−３、分析検体架設ポジション指定領域４−４等の他に、分析中断タイミング設定領域４−１が画面に表示されている。
【００４６】
分析中断タイミング設定領域４−１の分析中断なしボタン４−２を指定すると、分析中断が行われることなく分析が実行されるので、分析を中断する可能性がある場合は、分析中断なしボタン４−２の指定を行わない。
【００４７】
そして、分析中断タイミング設定領域４−１において、予め分析を中断するタイミングを指定しておく。画面のスタートボタンを押すことにより分析が開始される。
【００４８】
以上のように、本発明の実施例によれば、自動分析装置の分析動作実行中に、新規検体の分析を追加する場合、分析動作中に、即時中断、緊急検体の分注済み後、指定検体の分注済み後、一般検体の分注済み後等を操作者が指定することができる。
【００４９】
したがって、自動分析装置の分析動作実行中に、新規検体の分析を追加する場合、優先的に分析したい検体でありながら、やむをえずその検体の分析を中断しなければならない事態や、優先的に分析したい検体の分析が終了するまで待ってから分析中断ボタンを押下しなければならない等の事態を回避することができる。
【００５０】
つまり、操作者が求める最良のタイミングで分析の中断を実行することができ、自動分析装置の操作性を向上することができる。そして、新規の検体の分析を追加することができる。
【００５１】
なお、上述した実施例では、分析を中断するタイミングの指定を６種類としているが、これに限らず分析を中断するタイミングが特定できれば、他の数種類のタイミングを指定することができる。
【符号の説明】
【００５２】
１−１・・・分析中断タイミングラジオボタン、１−２・・・分析中断タイミングラジオボタン、１−３・・・分析中断タイミングラジオボタン、１−４・・・分析中断タイミングラジオボタン、１−５・・・分析中断タイミングラジオボタン、１−６・・・ポジション入力エリア、１−７・・・分析中断タイミングラジオボタン、１−８・・・分析中断タイミングラジオボタン、１−９・・・分析中断タイミングラジオボタン、１−１０・・・検体番号入力エリア、１−１１・・・分析中断タイミングラジオボタン、１−１２・・・分析中断タイミングラジオボタン、２−１・・・操作部、２−２・・・キーボード、２−３・・・マウス、２−４・・・表示装置、２−５・・・印刷装置、２−６・・・インタフェース、２−７・・・操作部、２−８・・・分析部、２−９・・・反応ディスク、２−１０・・・反応容器、２−１１・・・試薬ディスク、２−１２・・・試薬ボトル、２−１３・・・試料分注プローブ、２−１４・・・攪拌装置、２−１５・・・洗浄装置、２−１６・・・光源、２−１７・・・多波長光度計、２−１８・・・試薬分注プローブ、２−１９・・・試料ディスク、２−２０・・・試料を入れた試料容器、２−２１・・・インタフェース、２−２２・・・コンピュータ、２−２３・・・Ａ／Ｄコンバータ、３−１〜３−５・・・検体、３−６・・・分注中断ボタン押下タイミング、３−７・・・比較例の測定シーケンス、３−８・・・分析を中断した場合の検体Ｃの結果出力、３−９・・・分析を中断しなかった場合の検体Ｃの結果出力、３−１０・・・本発明の測定シーケンス、４−１、４−２・・・分析中断タイミングラジオボタン、５−１・・・分析を中断するために指示する検体
【図１】
2011033409.tif 000003
【図２】
2011033409.tif 000004
【図３】
2011033409.tif 000005
【図４】
2011033409.tif 000006
【図５】
2011033409.tif 000007
【図６】
2011033409.tif 000008